【手続補正書】
【提出日】平成29年11月1日(2017.11.1)
【手続補正１】
【補正対象書類名】特許請求の範囲
【補正対象項目名】全文
【補正方法】変更
【補正の内容】
【特許請求の範囲】
【請求項１】
ネットワークを通してクライアント電子装置と通信するサーバー装置によって実行される遠隔教育方法であって、
前記クライアント電子装置から学習リクエストを受信してから、インタラクティブ設問を含む教育課程教材を前記クライアント電子装置に送信し、前記教育課程教材によって、前記クライアント電子装置は、ユーザーに対して前記インタラクティブ設問への応答を入力するよう促し且つ前記応答を前記サーバー装置に送信することが可能になり、前記応答が、外国語での前記教育課程教材に関連するユーザーによるレッスンフレーズの発話、前記レッスンフレーズの文字の翻訳、前記レッスンフレーズを聞いた後のそのレッスンフレーズの翻訳、及び前記レッスンフレーズを聞いた後のそのレッスンフレーズの書き取りのうちのいずれか１つである教育課程教材送信ステップと、
前記インタラクティブ設問への解答を前記クライアント電子装置に提供し、前記解答によって、前記クライアント電子装置は、ユーザーに対して前記インタラクティブ設問への前記応答の修正を入力するよう促し且つ前記修正を前記サーバー装置に送信することが可能となり、前記修正が、前記応答において誤って答えられた少なくとも１つの前記レッスンフレーズの修正を含む解答提供ステップと、
前記クライアント電子装置から前記修正を受信してから、前記修正および前記解答に基づいた前記教育課程教材のユーザー学習効果に関する評価結果を生成する評価結果生成ステップとを含むことを特徴とする遠隔教育方法。
【請求項２】
前記解答提供ステップでは、前記クライアント電子装置から前記応答を受信した後に前記解答を前記クライアント電子装置に提供し、前記解答によって前記クライアント電子装置は前記解答を出力することが可能となる
ことを特徴とする請求項１に記載の遠隔教育方法。
【請求項３】
前記解答提供ステップでは、
前記解答が予め暗号化されたものである暗号化解答を前記クライアント電子装置に提供し、
前記クライアント電子装置から前記応答を受信した後に前記暗号化解答に関連付けられた復号キーを前記クライアント電子装置に送信し、前記復号キーによって、前記クライアント電子装置は前記復号キーを用いて前記暗号化解答を復号して前記インタラクティブ設問への解答を取得することが可能となり、前記解答によって、前記クライアント電子装置は前記解答を出力することが可能となることを特徴とする請求項１の遠隔教育方法。
【請求項４】
前記評価結果生成ステップの後に、前記評価結果に基づいて他の教育課程教材を前記クライアント電子装置に提供する他の教育課程教材提供ステップを更に含む
ことを特徴とする請求項１に記載の遠隔教育方法。
【請求項５】
前記他の教育課程教材提供ステップの後に前記教育課程教材送信ステップに戻り、繰り返された前記教育課程教材送信ステップにおいて前記他の教育課程教材は前記クライアント電子装置に送信される前記教育課程教材となる
ことを特徴とする請求項４に記載の遠隔教育方法。
【請求項６】
前記他の教育課程教材は、前記教育課程教材の一部を含んでおり、
前記教育課程教材送信ステップでは、第１の音声／動画（ＡＶ）教材と、前記第１のＡＶ教材に対応する第１の文字教材と、前記第１のＡＶ教材に対応する第２のＡＶ教材と、前記第２のＡＶ教材に対応する第２の文字教材とを送信し、
前記他の教育課程教材提供ステップでは、前記第１のＡＶ教材と、前記第１の文字教材と、第３のＡＶ教材と、前記第３のＡＶ教材に対応する第３の文字教材と、前記第３のＡＶ教材に対応する第４のＡＶ教材と、前記第４のＡＶ教材に対応する第４の文字教材とを提供し、
前記第１のＡＶ教材は、言語学習課程に関連し且つ言語に関連する複数の第１のレッスンフレーズを含んだ第１のレッスン動画を含み、
前記第１の文字教材は、前記複数の第１のレッスンフレーズの文字を含み、
前記第２のＡＶ教材は、前記第１のレッスン動画に関連する第１の解説動画を含み、前記第１の解説動画は、前記第１のレッスンフレーズに関連する複数の第１の解説文を含み、
前記第２の文字教材は、前記複数の第１の解説文の文字を含み、 
前記第３のＡＶ教材は、前記言語学習課程に関連し且つ言語に関連する複数の第２のレッスンフレーズを含む第２のレッスン動画を含み、
前記第３の文字教材は、前記複数の第２のレッスンフレーズの文字を含み、
前記第４のＡＶ教材は、前記第２のレッスン動画に関連した第２の解説動画を含み,前記第２の解説動画は、前記第２のレッスンフレーズに関連する複数の第２の解説文を含み、
前記第４の文字教材は、前記複数の第２の解説文の文字を含む
ことを特徴とする請求項４に記載の遠隔教育方法。
【請求項７】
ネットワークを通してサーバー装置と通信するクライアント電子装置によって実行される遠隔教育方法であって、
学習リクエストを前記サーバー装置に送信し、前記学習リクエストによって前記サーバー装置はインタラクティブ設問を含む教育課程教材を前記クライアント電子装置に送信することが可能になるリクエスト送信ステップと、
ユーザーに対して前記教育課程教材の前記インタラクティブ設問への応答を入力するよう促す入力促しステップと、
前記応答を前記サーバー装置に送信する応答送信ステップと、
前記教育課程教材の前記インタラクティブ設問への解答を前記サーバー装置から取得する解答取得ステップと、
ユーザーに対して前記応答の修正を入力するよう促す修正入力促しステップと、
前記修正を前記サーバー装置に送信する修正送信ステップとを含み、
前記修正によって、前記サーバー装置は前記修正および前記解答に基づいた前記教育課程教材のユーザー学習効果に関する評価結果を生成することが可能になる
ことを特徴とする遠隔教育方法。
【請求項８】
前記応答送信ステップでは、前記応答によって、前記サーバー装置は前記解答を前記クライアント電子装置に提供することが可能となり、
前記解答取得ステップでは、前記解答を出力する
ことを特徴とする請求項７に記載の遠隔教育方法。
【請求項９】
前記解答取得ステップでは、
前記解答が予め暗号化されたものである暗号化解答を前記サーバー装置から受信し、
前記応答を前記サーバー装置に送信した後で前記暗号化解答に関連する復号キーを前記サーバー装置から受信し、
前記復号キーを用いて前記暗号化解答を復号し前記教育課程教材の前記インタラクティブ設問への解答を得て、
前記解答を出力する
ことを特徴とする請求項７に記載の遠隔教育方法。
【請求項１０】
前記修正送信ステップの後に、前記評価結果に基づいて前記サーバー装置によって提供される他の教育課程教材を前記サーバー装置から受信する他の教育課程教材受信ステップを更に含む、
ことを特徴とする請求項７に記載の遠隔教育方法。
【請求項１１】
前記他の教育課程教材受信ステップの後に前記リクエスト送信ステップに戻り, 繰り返された前記リクエスト送信ステップにおいて前記他の教育課程教材は前記クライアント電子装置に送信される前記教育課程教材となる
ことを特徴とする請求項１０に記載の遠隔教育方法。
【請求項１２】
ネットワークを通してクライアント電子装置と通信して遠隔教育を提供するサーバー装置であって、
前記ネットワークと接続できるように構成されたサーバー端通信インターフェイスと、
前記サーバー端通信インターフェイスと電気的に連結されるサーバー端プロセッサモジュールとを具え、
前記サーバー端プロセッサモジュールは、
前記サーバー端プロセッサモジュールを介して学習リクエストを受信した後に、インタラクティブ設問を含む教育課程教材を前記サーバー端プロセッサモジュールを介して前記クライアント電子装置に送信し、前記教育課程教材によって、前記クライアント電子装置はユーザーに対して前記教育課程教材の前記インタラクティブ設問への応答を入力するよう促し且つ前記応答を前記サーバー装置に送信することが可能になり、前記応答は、外国語での前記教育課程教材に関連するユーザーによるレッスンフレーズの発話、前記レッスンフレーズの文字の翻訳、前記レッスンフレーズを聞いた後のそのレッスンフレーズの翻訳、及び前記レッスンフレーズを聞いた後のそのレッスンフレーズの書き取りのうちのいずれか１つであり、
前記インタラクティブ設問への解答を前記クライアント電子装置に提供し、前記解答によって、前記クライアント電子装置はユーザーに対して前記応答の修正を入力するよう促し且つ前記修正を前記サーバー装置に送信することが可能になり、前記修正は、前記応答において誤って答えられた少なくとも１つの前記レッスンフレーズの修正を含み、
前記サーバー端通信インターフェイスを介して前記クライアント電子装置から前記修正を受信してから、前記修正および前記解答に基づいた前記教育課程教材のユーザー学習効果に関する評価結果を生成するように構成されている
ことを特徴とするサーバー装置。
【請求項１３】
前記サーバー端プロセッサモジュールは更に、
前記解答が予め暗号化されたものである暗号化解答を前記クライアント電子装置に提供し、
前記クライアント電子装置から前記応答を受信した後に、前記暗号化解答に関連する復号キーを前記クライアント電子装置に送信し、
前記復号キーによって、前記クライアント電子装置は前記復号キーを用いて前記暗号化解答を復号して前記教育課程教材の前記インタラクティブ設問への解答を取得することが可能になり、また、前記解答によって、前記クライアント電子装置は前記解答を出力することが可能になるように構成されている
ことを特徴とする請求項１２に記載のサーバー装置。
【請求項１４】
前記サーバー端プロセッサモジュールは更に、前記評価結果に基づいて他の教育課程教材を前記クライアント電子装置に提供するように構成されている
ことを特徴とする請求項１２に記載のサーバー装置。
【請求項１５】
前記サーバー端プロセッサモジュールに電気的に連結され、前記教育課程教材と前記他の教育課程教材と前記教育課程教材への前記解答とを記憶する記憶モジュールを更に具え、
前記教育課程教材および前記他の教育課程教材は、複数の音声／動画（ＡＶ）教材と、前記複数のＡＶ教材に対応する複数の文字教材とを含む
ことを特徴とする請求項１４に記載のサーバー装置。
【請求項１６】
前記教育課程教材の前記インタラクティブ設問への解答と、前記教育課程教材および前記他の教育課程教材の前記複数の文字教材とを記憶する第１の記憶ユニットを含む第１のサーバーと、
前記教育課程教材および前記他の教育課程教材の前記複数のＡＶ教材を記憶する第２の記憶ユニットを含む第２のサーバーとを更に具え、
前記第１の記憶ユニットと前記第２の記憶ユニットとが協働して前記サーバー装置の前記記憶モジュールとして機能する
ことを特徴とする請求項１５に記載のサーバー装置。
【請求項１７】
前記サーバー端プロセッサモジュールと電気的に連結されていて、前記サーバー端プロセッサモジュールによって実行される学習スケジュールプログラムおよび学習評価プログラムを記憶する記憶モジュールを更に具え、
前記サーバー端プロセッサモジュールは、前記学習リクエストを受け取ったことに応じて、前記学習スケジュールプログラムを実行して前記教育課程教材を送信し、前記インタラクティブ設問への応答を受け取ると、前記教育課程教材の前記インタラクティブ設問への解答を送信し、
前記サーバー端プロセッサモジュールは、前記学習評価プログラムを実行して前記修正および前記解答に基づいて前記評価結果を生成し、また、前記学習スケジュールプログラムを実行して前記評価結果に基づいて前記他の教育課程教材を提供する
ことを特徴とする請求項１４に記載のサーバー装置。